(57)【要約】【課題】かさばらず、かつ貼り付けられた伝票から、受領者控え・配送者が持ち帰る配達票・情報記載欄等を全て容易に剥がすことが可能であるだけでなく、納品書と伝票の不一致をなくし誤送の可能性を減らし、かつゴミを出さない、納品書が添付された伝票を提供すること。【解決手段】各々別々に剥離できる複数の部分が設けられた伝票本体と、当該伝票本体を荷物に貼付けするための台紙と、梱包される用紙の３層から構成され、当該伝票本体は台紙に剥離可能に接着されており、梱包される用紙の裏面には剥離剤が塗布され、台紙のうち梱包される用紙と接触する面には再接着可能な、粘着力の強い糊が塗布されていることからなる。【選択図】図１
0003149598.tif 000002
【実用新案登録請求の範囲】
【請求項１】
各々別々に剥離できる複数の部分が設けられた伝票本体と、当該伝票本体を荷物に貼付けするための台紙と、梱包される用紙の３層から構成され、
伝票本体は台紙に剥離可能に接着されており、
梱包される用紙の裏面には剥離剤が塗布され、台紙のうち梱包される用紙と接触する面には再接着可能な、粘着力の強い糊が塗布されていることを特徴とする梱包される用紙と一体化した伝票。
【請求項２】
梱包される用紙は、伝票本体及び台紙より少なくとも一片が大きく作成されていることを特徴とする請求項１に記載の梱包される用紙と一体化した伝票。
【請求項３】
伝票本体は台紙より少なくとも一片が小さく作成されていることを特徴とする請求項１又は２に記載の梱包される用紙と一体化した伝票。
【考案の詳細な説明】
【技術分野】
【０００１】
本考案は、物品等に貼付して、主として配送等に使用する伝票類と、配送時に一緒に梱包される用紙に関する。
【背景技術】
【０００２】
従来、物品等に貼付して使用される配送伝票等は、剥離紙の上に送り状・受領者控えや配送者が持ち帰る配達票等が重ね合わされているものが多く、かさばり、扱いが不便であった。特に、送り状・受領者控えや配送者が持ち帰る配達票欄それぞれに剥離紙がついている場合には剥離後大量のゴミが出るという問題があった。
【０００３】
そのため、本考案者は、かさばらず、かつ貼り付けられた伝票から、受領者控えだけでなく、配達用宛名蘭・情報記載欄等の伝票本体を全て容易に剥がすことが可能な伝票を考案し開示している。
【先行技術文献】
【特許文献】
【０００４】
【特許文献１】実用新案登録第３１４６４２１号公報
【０００５】
一方、物品の配送にあたっては、物品と一緒に明細票や送り状など、主として納品書として使用される用紙を物品と一緒に梱包することが多い。
しかしながら、納品書と伝票は別々に管理・作成されるため、梱包された納品書とダンボール等に貼られた伝票とが手違いにより不一致となり、そのまま誤送されてしまう場合がある。
【考案の概要】
【考案が解決しようとする課題】
【０００６】
そこで、本考案の目的は、かさばらず、かつ貼り付けられた伝票から、送り状・受領者控え・配送者が持ち帰る配達票・その他の情報記載欄等を全て容易に剥がすことが可能であるだけでなく、納品書など梱包される用紙と伝票の不一致をなくし誤送の可能性を減らし、かつゴミを出さない、梱包される用紙と一体化した伝票を提供することを目的とする。
【課題を解決するための手段】
【０００７】
当該目的を達成するため、本考案の梱包される用紙と一体化した伝票は、各々別々に剥離できる複数の部分が設けられた伝票本体と、伝票本体を荷物に貼付けするための台紙と、梱包される用紙の３層から構成され、当該伝票本体は台紙に剥離可能に接着されており、梱包される用紙の裏面には剥離剤が塗布され、台紙のうち梱包される用紙と接触する面には再接着可能な、粘着力の強い糊が塗布されていることからなる。
【０００８】
また、梱包される用紙は、伝票本体及び台紙より少なくとも一片が大きく作成されていることが好適である。
また、伝票本体は台紙より少なくとも一片が小さく作成されていることが好適である。
【０００９】
本考案の納品書が添付された伝票は、各々別々に剥離できる複数の部分が設けられた伝票本体と、当該伝票本体を荷物に貼付けするための台紙と、梱包される用紙の３層から構成される。このようにして伝票と梱包される用紙を一体化することで、納品書と伝票の不一致がなくなり、管理が飛躍的に効率化するものである。なお、本願における「梱包される用紙」とは、主として納品書を意味するが、明細書や送り状など、物品と一緒に梱包される用紙を広く含む概念であり、注意書き・詫び状や広告として使用されるものも含む。
【００１０】
梱包される用紙の裏面、即ち台紙と接触する面には剥離剤が塗布され、台紙のうち梱包される用紙と接触する面には再接着可能な、粘着力の強い糊が塗布されている。このことにより、梱包される用紙を台紙から剥がして、ダンボール等の梱包用箱の中に配置したり、梱包用箱の外側に配置されるビニールポケット等に配置したりすることが出来るだけでなく、残された伝票をその梱包用箱に貼り付けることが出来る。そのため、梱包される用紙の使用と伝票の使用をワンセットの伝票から同時に行うことが出来、納品書と伝票の不一致をなくすことが出来る。
【００１１】
また、伝票本体と台紙の接着力は、台紙と梱包される用紙の接着力よりも相対的に弱くなるため、梱包される用紙は伝票本体及び台紙より少なくとも一片が大きく作成されていることが好適である。この大きさは数ミリ〜２センチ程度あれば十分である。これにより、梱包される用紙を伝票から剥がす際、つまんで簡単に剥がすことが出来、間違えて伝票本体を台紙から剥がしてしまうことのないようにすることが出来るものである。
【００１２】
当該伝票本体は台紙に剥離可能に接着されている。伝票本体は圧着又は擬似接着若しくは感熱粘着により接着され、剥離後の伝票本体の接着面は粘着性を有しない。これにより、伝票本体の所持やシュレッダー等による処理が容易となるものである。また、伝票本体は台紙より少なくとも一片が若干小さく作成されていることが好適である。これにより、伝票から梱包される用紙を、台紙から伝票本体を、より容易に剥がすことが出来る。この大きさの差は数ミリあれば十分である。また、必要であれば伝票本体にはつまみ部など一般的な手段を設けて剥離をさらに容易にさせることも出来る。
【００１３】
製造に当たっては、例えばロール状に３枚の同じ大きさの用紙を重ねて納品書が添付された伝票を連続的に作成し、両面印刷により納品書と伝票本体の印刷を同時に行う。そして、印刷が行われた後、用紙をハーフカットにより各用紙の大きさを調整することで製造することが出来る。したがって、工業的な大量生産に対応している。
【考案の効果】
【００１４】
本考案は以上の構成を有し、梱包される用紙と伝票が一体的に作成されているため、別々に管理する必要が全くなく、管理の手間も費用も減ずることが出来る。また、物品の梱包時には、梱包される用紙を剥がして梱包し、残された伝票をそのまま物品に貼り付ければよく、梱包された納品書と伝票が不一致となる可能性を極めて低くすることが出来る。
さらに、また、物品配送時や配送後など、伝票本体の各部分を所望時にそれぞれ剥がし、物品には台紙のみを残すことが出来、不要なゴミを生じないものである。また、本願の構成は３層の用紙のみから一度に大量に製造可能であり、製造に必要な資源を最小限にとどめ製造効率の向上にも役立つという効果も有する。
【図面の簡単な説明】
【００１５】
【図１】本考案の伝票の表面を示す正面図である。
【図２】本考案の伝票を上から見た平面図である。
【図３】梱包される用紙を台紙から剥がそうとする状態を示す図である。
【図４】物品に伝票を貼り付けた状態を示す図である。
【図５】伝票本体を物品から剥がそうとしている状態を示す図である。
【考案を実施するための形態】
【００１６】
本考案の実施の形態の一例を図面にしたがって説明する。
【００１７】
図１及び図２に示すように、本考案に係る伝票は、送り状３・配達票４・受領者控え５・情報記載欄６が設けられた伝票本体１と、当該伝票本体１を荷物に貼付けするための台紙２と、納品書・明細票や送り状などとして物品と一緒に梱包される用紙７の３層から構成されている。なお、本実施例では伝票本体１は４つの部分から成るが、２つの部分から構成されても良いし、３つ以上であっても良く、伝票の用途を満たす限りどのように構成されていても良いものである。
【００１８】
伝票本体１は台紙２に対し剥離可能に圧着又は擬似接着若しくは感熱接着されており、全て剥がすことができる。これにより、伝票本体１を台紙２から剥がしてそのまま保持することが可能になっているものである。
【００１９】
一方、梱包される用紙７の裏面には剥離剤が塗布されて台紙２と接触し、台紙２のうち梱包される用紙７と接触する面には再接着可能な、粘着力の強い糊が塗布されている。これにより、図３に示すように梱包される用紙７を台紙２から剥がし、その後、図４に示すように残された台紙２を梱包された用紙９に貼り付け、伝票として使用できるものである。
【００２０】
そして、梱包される用紙７は、伝票本体１及び台紙２より一片が大きく作成されている。このことにより、台紙２から梱包される用紙７を簡単につまんで剥がすことができ、間違えて台紙２から伝票本体１が剥がされてしまう可能性をなくすことができる。
【００２１】
さらに、伝票本体１は台紙２より一片が若干小さく作成されている。なお、図１中の点線は台紙２の形状を示している。これにより、図５のように用紙９に貼り付けられた伝票から送り状３・配達票４・受領者控え５・情報記載欄６を簡単に剥がすことができる。なお、送り状３・配達票４・受領者控え５には剥がしやすいように、台紙に接着されていないつまみ部８が設けられている。
【符号の説明】
【００２２】
１        伝票本体
２        台紙
３        送り状
４        配達票
５        受領者控え
６        情報記載欄
７        梱包される用紙
８        つまみ部
９        物品
【図１】
0003149598.tif 000003
【図２】
0003149598.tif 000004
【図３】
0003149598.tif 000005
【図４】
0003149598.tif 000006
【図５】
0003149598.tif 000007